(57)【要約】【課題】電界伝達媒体を介して情報の送受信を行う電界通信を用いた情報収集システムにおいて、セミナーを聴講したユーザに関する情報を効率よく収集する。【解決手段】送信すべき情報に基づく電界を電界伝達媒体に誘起させて情報の送信を行う携帯端末と、電界伝達媒体に誘起した電界を検出して前記携帯端末が送信した情報を受信する受信機５と、受信機５に接続された管理装置８とを有し、携帯端末は当該携帯端末を携帯するユーザが前記受信機５に接続された電極６に接触することによりユーザＩＤを受信機５に送信し、受信機５は携帯端末からユーザＩＤを受信すると当該受信機５が設置されたセミナー会場を示す設置場所を付加した情報を管理装置８に出力し、管理装置８は、セミナーを聴講したユーザを記憶するセミナー情報記憶手段と、受信機５が出力した情報に基づいてセミナーを聴講したユーザを検出し、セミナー情報記憶手段に登録する検出手段とを有する。【選択図】図２
2009033560.tif 000002
【特許請求の範囲】
【請求項１】
電界伝達媒体を介して通信する電界通信を用いた情報収集システムであって、
送信すべき情報に基づく電界を電界伝達媒体に誘起させて情報の送信を行う携帯端末と、電界伝達媒体に誘起した電界を検出して前記携帯端末が送信した情報を受信する受信機と、前記受信機に接続された管理装置と、を有し、
前記携帯端末は、当該携帯端末を携帯するユーザが前記受信機に接続された電極に接触することにより、所定のユーザＩＤを前記受信機に送信し、
前記受信機は、前記携帯端末からユーザＩＤを受信すると、前記ユーザＩＤに当該受信機が設置されたセミナー会場を示す設置場所を付加した情報を、前記管理装置に出力し、
前記管理装置は、
セミナーを聴講したユーザを記憶するセミナー情報記憶手段と、
前記受信機が出力した情報に基づいてセミナーを聴講したユーザを検出し、前記セミナー情報記憶手段に登録する検出手段と、を有すること
を特徴とする情報収集システム。
【請求項２】
請求項１記載の情報収集システムであって、
前記受信機に接続された電極は、セミナー会場の椅子に設置されること
を特徴とする情報収集システム。
【請求項３】
請求項２記載の情報収集システムであって、
前記受信機は、前記携帯端末からユーザＩＤを受信すると、前記ユーザＩＤに当該受信機が設置されたセミナー会場における、当該受信機に接続された電極が設置された椅子の設置場所を付加した情報を、前記管理装置に出力すること
を特徴とする情報収集システム。
【請求項４】
請求項２記載の情報収集システムであって、
前記管理装置の検出手段は、前記受信機が出力する情報を受信した時刻を、ユーザが前記椅子に着席した着席時刻として前記セミナー情報記憶手段に設定し、前記受信機からの情報が途絶えた時刻をユーザが前記椅子から離席した離席時刻として前記セミナー情報記憶手段に設定すること
を特徴とする情報収集システム。
【請求項５】
請求項１記載の情報収集システムであって、
前記管理装置は、
前記セミナー情報記憶手段に記憶された情報を用いて、セミナーの統計情報を算出する解析手段を、さらに有すること
を特徴とする情報収集システム。
【請求項６】
電界伝達媒体を介して通信する電界通信を用いた情報収集システムであって、
送信すべき情報に基づく電界を電界伝達媒体に誘起させて情報の送信を行う携帯端末と、電界伝達媒体に誘起した電界を検出して前記携帯端末が送信した情報を受信する受信機と、前記受信機に接続された管理装置と、を有し、
前記携帯端末は、当該携帯端末を携帯するユーザが前記受信機に接続された電極に接触することにより、所定のユーザＩＤを前記受信機に送信し、
複数の電極が接続された前記受信機は、
当該受信機への入力先となる電極を切り替える切替スイッチと、
前記携帯端末からユーザＩＤを受信すると、前記ユーザＩＤに当該受信機が設置されたセミナー会場を示す設置場所、および、前期切替スイッチが切替えた電極が設置された椅子の設置場所を付加した情報を、前記管理装置に出力し、
前記管理装置は、
セミナーを聴講したユーザを記憶するセミナー情報記憶手段と、
前記受信機が出力した情報に基づいてセミナーを聴講したユーザを検出し、前記セミナー情報記憶手段に登録する検出手段と、を有すること
を特徴とする情報収集システム。
【発明の詳細な説明】
【技術分野】
【０００１】
本発明は、送信すべき情報に基づく電界を電界伝達媒体に誘起させるとともにこの誘起した電界を検出して情報の送受信を行う情報収集システムに関する。
【背景技術】
【０００２】
携帯端末の小型化および高性能化によりウェアラブルコンピュータが注目されているが、図１３はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とパソコン８間とのデータ通信に使用されるトランシーバ９は、電界信号検出技術を利用していて、送信すべき情報に基づく電界を電界伝達媒体である生体に誘起させ、この誘起した電界を用いて情報の送受信を行うものである。なお、トランシーバ９については、特許文献１および特許文献２に記載されている。
【特許文献１】特開２００１−３５２２９８号公報
【特許文献２】特開２００６−０８１１１１号公報
【発明の開示】
【発明が解決しようとする課題】
【０００４】
さて、製品説明会や講演会などのセミナー主催者は、一般的に、セミナーに参加したユーザに対してダイレクトメールの送信などのフォローアップを行う。そのため、セミナー開催前に、事前に参加者の氏名や住所などのユーザ情報を登録しておく。
【０００５】
しかしながら、ユーザ登録したもののセミナーを欠席してしまうユーザが存在する。また、１つの会場で複数のセミナーを同時に開催している場合、ユーザがどのセミナーを聴講しているかを把握することは困難である。そのため、セミナー主催者は、ユーザ登録したユーザ全てに対して、開催した全てのセミナーのフォローアップを行う必要がある。また、セミナーに参加したユーザの中で、実際にセミナーを聴講した人数などセミナー効果の指標となる情報を収集することは、容易ではない。
【０００６】
本発明は、上記課題を解決するためになされたものであり、電界伝達媒体を介して情報の送受信を行う電界通信を用いた情報収集システムにおいて、セミナーを聴講したユーザに関する情報を効率よく収集することを目的とする。
【課題を解決するための手段】
【０００７】
上記目的を達成するため、本発明は、電界伝達媒体を介して通信する電界通信を用いた情報収集システムであって、送信すべき情報に基づく電界を電界伝達媒体に誘起させて情報の送信を行う携帯端末と、電界伝達媒体に誘起した電界を検出して前記携帯端末が送信した情報を受信する受信機と、前記受信機に接続された管理装置と、を有し、前記携帯端末は、当該携帯端末を携帯するユーザが前記受信機に接続された電極に接触することにより、所定のユーザＩＤを前記受信機に送信し、前記受信機は、前記携帯端末からユーザＩＤを受信すると、前記ユーザＩＤに当該受信機が設置されたセミナー会場を示す設置場所を付加した情報を、前記管理装置に出力し、前記管理装置は、セミナーを聴講したユーザを記憶するセミナー情報記憶手段と、前記受信機が出力した情報に基づいてセミナーを聴講したユーザを検出し、前記セミナー情報記憶手段に登録する検出手段とを有する。
【０００８】
また、本発明は、電界伝達媒体を介して通信する電界通信を用いた情報収集システムであって、送信すべき情報に基づく電界を電界伝達媒体に誘起させて情報の送信を行う携帯端末と、電界伝達媒体に誘起した電界を検出して前記携帯端末が送信した情報を受信する受信機と、前記受信機に接続された管理装置と、を有し、前記携帯端末は、当該携帯端末を携帯するユーザが前記受信機に接続された電極に接触することにより、所定のユーザＩＤを前記受信機に送信し、複数の電極が接続された前記受信機は、当該受信機への入力先となる電極を切り替える切替スイッチと、前記携帯端末からユーザＩＤを受信すると、前記ユーザＩＤに当該受信機が設置されたセミナー会場を示す設置場所、および、前期切替スイッチが切替えた電極が設置された椅子の設置場所を付加した情報を、前記管理装置に出力し、前記管理装置は、セミナーを聴講したユーザを記憶するセミナー情報記憶手段と、前記受信機が出力した情報に基づいてセミナーを聴講したユーザを検出し、前記セミナー情報記憶手段に登録する検出手段と、を有する。
【発明の効果】
【０００９】
本発明によれば、電界伝達媒体を介して情報の送受信を行う電界通信を用いた情報収集システムにおいて、セミナーを聴講したユーザに関する情報を効率よく収集することができる。
【発明を実施するための最良の形態】
【００１０】
＜第１の実施形態＞
以下、本発明の第１の実施形態を、図面を用いて説明する。
【００１１】
図１は、本発明の第１の実施形態である情報収集システムを説明するための説明図である。本実施形態の情報収集システムは、製品説明会や講演会などのセミナーを聴講したユーザの情報を収集するものである。また、本実施形態では、複数のセミナーが同時に開催され、ユーザは自由に所望のセミナーを聴講するものとする。
【００１２】
各ユーザは、ネットストラップ付の携帯端末１を携帯し、複数のセミナー会場の中から、興味のあるセミナー会場に入場し、当該セミナー会場に設置された所定の椅子７に座ってセミナーを聴講する。また、ユーザは、任意のタイミングで椅子７から立ち上がって他のセミナー会場に移動するものとする。
【００１３】
各椅子７の座面には、後述する受信機に接続された電極６が設置されている。そして、ユーザが椅子７に座ることでユーザと電極６とが接触し、これにより電界伝達媒体であるユーザの人体を介して、当該ユーザが携帯する携帯端末１と受信機との間で情報が送受信される。すなわち、携帯端末１が送信するユーザＩＤは、ユーザの人体を介して受信機に送信される。受信機は、送信されたユーザＩＤに当該受信機が設置されたセミナー会場を示す設置場所を付加した情報を、後述する管理サーバに送信する。
【００１４】
図２は、本実施形態である情報収集システムの全体構成図である。
【００１５】
図示する情報収集システムは、各セミナー会場に設置された複数の受信機５および各受信機５に対応する複数の電極６と、管理センタに設置された管理サーバ８と、表示装置９とを有する。
【００１６】
本実施形態の受信機５と電極６とは、１対１に対応して接続されているものとする。また、図示する電極６は、図１で説明したように、各セミナー会場に設置された椅子７の座面に設置されている。そして、各受信機５は、ＨＵＢなどのネットワーク機器により、管理センタの管理サーバ（管理装置）８に接続されている。
【００１７】
管理サーバ８は、各セミナーを聴講しているユーザの情報を、受信機５から収集する。表示装置９は、ＨＵＢなどのネットワーク機器を介して管理サーバ８に接続され、管理サーバ８が出力した各種情報を表示する。
【００１８】
図３は、ユーザが携帯する携帯端末１の概略構成図である。
【００１９】
本実施形態の携帯端末１は、ＩＤ発信器２と、送信機３とを有する。ＩＤ発信器２は、当該携帯端末１を携帯するユーザのユーザＩＤを、所定の時間間隔で常時発信する。ユーザＩＤは、あらかじめＩＤ発信器２に設定されているものとする。
【００２０】
携帯端末１の送信機３は、電界信号検出技術を利用していて、送信すべき情報に基づく電界を電界伝達媒体である生体に誘起させ、この誘起した電界を用いて情報の送信を行うものである。
【００２１】
例えば、送信機３は、図３に示すような構成をしており、ＩＤ発信器２からの送信データ（ＩＤ信号）を制御回路９０１を介して受け取ると、この送信データを送信部９０２を介して電極９０３に供給し、当該電極９０３および絶縁膜９０４を介して電界伝達媒体に電界を誘起させ、この電界を電界伝達媒体の他の部位に伝達させる。
【００２２】
携帯端末１を携帯したユーザがセミナー会場の椅子の電極６に接触することにより、電界伝達媒体であるユーザの人体を介して、受信機５と携帯端末１との通信路が確立される。
【００２３】
図４は、本実施形態の管理サーバ８と受信機５の概略構成図である。
【００２４】
図示する受信機５は、電界信号検出技術を利用していて、電界伝達媒体である生体に誘起した電界を用いて情報の受信を行うものである。例えば、受信機５は、図４に示すような構成をしており、電界伝達媒体に誘起されて伝達されてくる電界を絶縁膜を介して電極６で検出し、この電界を電界検出光学部９０５に結合して電気信号に変換する。そして、この電気信号は、信号処理回路９０６で増幅、ノイズ除去などの信号処理を施され、更に波形整形回路９０７で波形整形がなされ、制御回路９０１を介して管理サーバ８に出力するようになっている。また、本実施形態の絶縁膜を含む電極６は、ケーブルにより受信機５と接続されており、ユーザが接触可能な椅子の座面に設置されているものとする。
【００２５】
制御回路９０１は、携帯端末１から送信されたユーザＩＤに、当該受信機５が設置されたセミナー会場を示す設置場所（例えば、Ａセミナー会場など）を付加して、管理サーバ８に送信する。また、設置場所には、セミナー会場だけでなく、当該受信機に接続された電極が設置された椅子の位置情報（例えば、座標情報など）も含まれるものとする。
【００２６】
図示する管理サーバ８は、検出部８１と、解析部８２と、セミナー情報テーブル８６と、ユーザ情報テーブル８７と、を有する。検出部８１は、受信機５から収集した情報に基づいて各セミナーを聴講しているユーザを検出し、セミナー情報テーブル８６に記憶する。解析部８２は、セミナー情報テーブル８６に記憶された情報に基づいて、各セミナーの統計処理を行う。
【００２７】
図５は、セミナー情報テーブル８６の一例を示す図である。
【００２８】
セミナー情報テーブル８６は、セミナーを聴講したユーザを登録するテーブルである。図示するセミナー情報テーブル８６は、ユーザＩＤと、設置場所（セミナー会場、椅子の位置）と、着席時刻と、離席時刻とを有する。
【００２９】
図６は、ユーザ情報テーブル８７の一例を示す図である。ユーザ情報テーブルは、ユーザの属性情報があらかじめ記憶されたテーブルであって、ユーザＩＤ毎に、氏名、性別、年齢、連絡先（電話番号、住所）、職業、職種、セミナー参加理由、ＶＩＰ／一般区分などのマーケティングに必要な各種の情報が記憶されている。
【００３０】
なお、管理サーバ８は、少なくともＣＰＵと、メモリと、記憶装置と、通信制御装置と、これらの各装置を接続するバスと、を備えた汎用的なコンピュータシステムを用いることができる。このコンピュータシステムにおいて、ＣＰＵがメモリ上にロードされた所定のプログラムを実行することにより、管理サーバ８の各機能が実現される。
【００３１】
次に、本実施形態の情報収集システムの処理について説明する。
【００３２】
ユーザが携帯する携帯端末１は、ＩＤ発信器２が発信するユーザＩＤを、所定の時間間隔（例えば、０．５秒間隔）で常時送信している。そして、ユーザは、所望のセミナー会場に入場し、所望の椅子に着席することにより（図１参照）、当該椅子の電極６に接触する。これにより、携帯端末１と受信機５との間で、ユーザの人体である電界伝達媒体および電極６を介した通信路が確立され、通信が可能となる。そして、携帯端末１が所定の時間間隔で送信するユーザＩＤは、前記通信路を介して受信機５に送信される。
【００３３】
受信機５の受信部９１０および波形整形回路９０７は、前記通信路を介して入力された電界をユーザＩＤ（電気信号）に変換して制御回路９０１に出力する。制御回路９０１は、入力されたユーザＩＤに、当該受信機５にあらかじめ設定された設置場所（セミナー会場、椅子の位置）を付加したＩＤ情報を、管理サーバ８に送信する。
【００３４】
したがって、ユーザが椅子に着席してセミナーを聴講している間、携帯端末１が所定の時間間隔で送信するユーザＩＤは、前記通信路を介して受信機５に送信され、また、受信機５からはユーザＩＤおよび設置場所を含むＩＤ情報が前記時間間隔で管理サーバ８に送信される。そして、管理サーバ８は、以下に示す処理を行う。
【００３５】
図７は、管理サーバ８の処理を示すフローチャートである。
【００３６】
管理サーバ８は、受信機５毎に、図７の処理を行うものとする。管理サーバ８の検出部８１は、所定の受信機５からＩＤ情報を受信すると（Ｓ１１：ＹＥＳ）、セミナー情報レコードを生成し、セミナー情報テーブル８６に登録する（Ｓ１２）。すなわち、検出部８１は、ＩＤ情報に含まれているユーザＩＤおよび設置場所と、ＩＤ情報を受信した時刻を着席時刻としたセミナー情報レコードを生成し、登録する。
【００３７】
そして、検出部８１は、Ｓ１１で受信したＩＤ情報のユーザＩＤと同一ユーザＩＤが設定されたＩＤ情報を待つ（Ｓ１３）。所定の時間（例えば、１秒）が経過する前に同一ユーザＩＤのＩＤ情報を受信した場合（Ｓ１４：ＹＥＳ）、検出部８１は、Ｓ１３に戻り以下の処理を繰り返す。なお、Ｓ１４における所定の時間（例えば、１秒）は、携帯端末１がユーザＩＤを発信する所定の時間間隔（例えば、０．５秒間隔）より、長い時間とする。
【００３８】
一方、同一ユーザＩＤのＩＤ情報が受信されないまま、所定の時間が経過した場合（Ｓ１４：ＮＯ）、すなわち受信機５から送信されるＩＤ情報が途切れた場合、検出部８１は、ユーザが離席したものとみなし、セミナー情報テーブル８６のＳ１２で登録したセミナー情報レコードの離席時刻に、Ｓ１４の所定の時間が経過した時刻を設定する（Ｓ１５）。そして、検出部８１は、Ｓ１１に戻り、次のＩＤ情報を待つ。
【００３９】
なお、ユーザが椅子から立ち上がることにより、椅子に設置された電極６とユーザとが離れた状態となり、携帯端末１と受信機５との間での通信が行われなくなる。これにより、携帯端末１が送信するユーザＩＤを受信機５は受信することができず、受信機５はＩＤ情報を管理サーバ８に送信しない。
【００４０】
以上説明した処理により、セミナー情報テーブル８６には、セミナーを聴講したユーザの着席時刻および離席時刻や、聴講したセミナー会場および着席した椅子の位置が登録される。
【００４１】
次に、セミナー情報テーブル８６に登録された情報の解析処理について説明する。
【００４２】
管理サーバ８の解析部８２は、セミナー終了後に、セミナー情報テーブル８６およびユーザ情報テーブル８７を用いて、セミナー会場毎に、各種の統計情報を出力する。
【００４３】
例えば、セミナーの効果を数量的に把握するために、解析部８２は、離席時刻から着席時刻を減算することにより、各ユーザの着席時間（セミナーを聴講していた時間）を算出する。また、解析部８２は、ユーザ各々の着席時間から、セミナー毎に平均着席時間を算出する。
【００４４】
また、解析部８２は、セミナー会場毎に、セミナー情報テーブル８６に登録されたユーザＩＤをカウントすることにより、各セミナーを聴講したユーザの総数を算出する。また、解析部８２は、あらかじめ用意された椅子に対する着席率を算出する。
【００４５】
また、セミナーに参加したユーザに対して効果的なフォローアップを行うために、解析部８２は、セミナー会場毎に長時間聴講したユーザ（ホットユーザ）のユーザＩＤを特定し、特定したユーザＩＤに対応するユーザの氏名、連絡先などをユーザ情報テーブル８７から抽出し、リストアップすることなどが考えられる。
【００４６】
さらに、解析部８２は、セミナーを開催している最中に、セミナー情報テーブル８６を用いて各セミナー会場の空席数を算出し、表示装置９に表示することとしてもよい。すなわち、解析部８２は、セミナー情報テーブル８６の離席時刻が設定されていないセミナー情報レコードについては、ユーザが着席しているものとみなし、設置場所のセミナー会場毎に離席時刻が設定されていないセミナー情報レコード数を集計する。そして、各セミナー会場に設置された各椅子の数から、集計した各セミナー情報レコード数を減算することにより、空席数を算出する。
【００４７】
以上説明した第１の実施形態では、携帯端末を携帯したユーザが所望のセミナー会場の椅子に着席することにより、携帯端末が送信するユーザＩＤおよび受信機が設定する設置場所を含むＩＤ情報が、管理サーバに送信される。これにより、ユーザに携帯端末を携帯させるだけで、各セミナーを実際に聴講したユーザの情報を効率よく収集することができる。
【００４８】
また、本実施形態では、ユーザＩＤおよび設置場所を含むＩＤ情報が受信機から送られてきたタイミングでユーザが椅子に着席し、受信機からの情報が途切れたタイミングでユーザが離席したものとみなし、セミナー情報記憶部に着席時刻および離席時刻を設定する。これにより、各ユーザの着席時間（すなわちセミナーの聴講時間）、セミナーを聴講したユーザの人数、着席率など、セミナーの効果を測定するために必要な情報を、容易に取得することができる。また、長時間を着席していたユーザ（ホットユーザ）を容易に検出することができ、当該ユーザに対して、ユーザ情報テーブルに記憶された連絡先に優先的に連絡するなど、効率のよいフォローアップ作業を行うことができる。
【００４９】
また、本実施形態の受信機が付加する設置場所には、セミナー会場を識別するための情報だけでなく、セミナー会場の椅子の位置を示す情報も含まれている。そして、このような設置場所がユーザＩＤとともに管理サーバに送信され、セミナー情報記憶部に記憶される。これにより、各ユーザの着席場所から、より適切なセミナー会場を設計し、次回のセミナー会場設営に役立てることができる。また、ユーザが、セミナー会場内で後ろの席から前の席に移動したなどのユーザの行動を容易に把握することができる。
【００５０】
なお、第１の実施形態の携帯端末は、当該携帯端末を携帯するユーザのユーザＩＤを送信することとしたが、ユーザＩＤの他にユーザが所属するグループのグループＩＤさらに送信することしてもよい。グループとしては、例えば、社内見学者、一般見学者、所定の企業に属する見学者、所定の団体に属する見学者、所定の学校に属する見学者などが考えられる。また、グループＩＤは、あらかじめＩＤ発信器２に設定されているものとする。ユーザＩＤとともにグループＩＤを管理サーバのセミナー情報記憶部に記憶することにより、ユーザ単位での統計情報だけでなく、グループ単位での統計情報（マーケティング情報、業界動向など）を取得することができる。
【００５１】
また、第１の実施形態では、管理サーバ８の検出部８１が、受信機５から送信されるＩＤ情報に基づいて着席および離席の状態を判別することとしたが、受信機５が、図７と同様の処理を行うことにより着席および離席の状態を判別することとしてもよい。すなわち、受信機５の制御回路９０１は、携帯端末１からユーザＩＤを受信すると、ユーザＩＤおよび設置場所を含む着席情報を管理サーバ８に送信する。そして、制御回路９０１は、携帯端末１からの同一ユーザＩＤを受信し続ける。そして、携帯端末１から送信されるユーザＩＤが途切れた場合、すなわち、所定の時間が経過しても同一ユーザＩＤが受信されない場合、制御回路９０１は、ユーザが離席したものとみなし、このタイミングでユーザＩＤおよび設置場所を含む離席情報を管理サーバ８に送信する。管理サーバ８の検出部８１は、受信機５から着席情報を受信したタイミングで、セミナー情報テーブル８６に着席時刻を設定したレコードを登録し、受信機５から離席情報を受信したタイミングでセミナー情報テーブル８６に離席時刻を設定する。受信機５が着席および離席の状態を判別することにより、管理サーバ８の処理負荷を低減することができる。
【００５２】
＜第２の実施形態＞
以下、本発明の第２の実施形態を、図面を用いて説明する。
【００５３】
図８は、第２の実施形態の情報収集システムの全体構成図である。本実施形態の情報収集システムは、各セミナー会場には１つの受信機５が設置され、当該受信機５に複数の電極６が接続されている点において、第１の実施形態の情報収集システムと異なる。
【００５４】
図９は、第２の実施形態の受信機５の概略構成図である。図示する受信機５は、第１の実施形態の受信機５（図４参照）が備える回路の他に、さらに切替スイッチ９１１を有する。切替スイッチ９１１には、複数の電極６が接続され、制御回路９０１からの制御により、受信部９１０への入力先電極を順次切替える。図示する場合、切替スイッチ９１１は、例えば、電極（１）→電極（２）→電極（３）→電極（１）→・・・・の順に、短時間で入力先電極を切替えるものとする。なお、本実施形態の電極６は、第１の実施形態と同様に、セミナー会場の各椅子の座面に設置されているものとする。
【００５５】
本実施形態の制御回路９０１は、切替スイッチ９１１に対して、入力先電極の切替制御指示を送出する。また、制御回路９０１は、波形整形回路９０７から入力されたユーザＩＤに、当該受信機５が設置されたセミナー会場、および、切替スイッチ９１１により現在入力先となっている電極６の設置された椅子の位置情報を含む設置場所を付加したＩＤ情報を、管理サーバ８に送信する。
【００５６】
なお、本実施形態の携帯端末１、管理サーバ８および表示装置９は、第１の実施形態と同様であるため、ここでは説明を省略する。
【００５７】
次に、本実施形態の情報収集システムの処理について説明する。
【００５８】
ユーザは、所望のセミナー会場に入場し、所望の椅子に着席することにより、当該椅子の電極６に接触する。これにより、携帯端末１と受信機５との間で、ユーザの人体である電界伝達媒体および電極６を介した通信路が確立され、通信が可能となる。そして、携帯端末１が所定の時間間隔で送信するユーザＩＤは、前記通信路を介して受信機５に送信される。
【００５９】
本実施形態の受信機５の受信部９１０には、切替スイッチ９１１が入力先の電極６を短時間で切替えることにより、各電極６を介して各携帯端末１から送信されるユーザＩＤが、時分割で入力される。
【００６０】
受信機５の制御回路９０１は、各電極６を介して順次入力されたユーザＩＤに、当該受信機５にあらかじめ設定されたセミナー会場を示す設置場所を付加するとともに、切替スイッチ９１１が入力先として切替えている（接続している）電極６の設置された椅子の位置情報を付加する。そして、制御回路９０１は、ユーザＩＤと付加した設置場所とを含むＩＤ情報を、管理サーバ８に送信する。
【００６１】
そして、管理サーバ８の検出部８１は、第１の実施形態と同様に図７で説明した処理を行う。なお、本実施形態では、検出部８１は、受信機５毎であって、かつ電極６毎に、図７の処理を行うものとする。検出部８１は、受信機５から送信されるＩＤ信号の設置場所（電極６の設置された椅子の位置情報）を用いて、各電極６の椅子に着席したユーザの着席時刻を検出するとともに離席時刻を検出し、セミナー情報テーブル８６に登録する。
【００６２】
なお、管理サーバ８の解析部８２の解析処理については、第１の実施形態と同様であるためここでは説明を省略する。
【００６３】
以上説明した第２の実施形態では、１つの受信機に複数の電極が接続され、切替スイッチにより入力先の電極を順次切替えるものとする。これにより、システムの構築コストを低減することができる。
【００６４】
また、第２の実施形態では、第１の実施形態と同様に、携帯端末を携帯したユーザが所望のセミナー会場の椅子に着席することにより、携帯端末が送信するユーザＩＤおよび受信機が設定する設置場所を含むＩＤ情報が、管理サーバに送信される。これにより、ユーザに携帯端末を携帯させるだけで、各セミナーを実際に聴講したユーザの情報を効率よく収集することができる。
【００６５】
なお、第２の実施形態では、受信機５が切替スイッチ９１１を内蔵するものとしたが、図１０に示すように、受信機５の外部に切替スイッチ９１１を設けることとしてもよい。
【００６６】
＜第３の実施形態＞
以下、本発明の第３の実施形態を、図面を用いて説明する。本実施形態の電界通信システムは、携帯端末の送信機および受信機が、第１の実施形態と異なる。
【００６７】
第３の実施形態の情報収集システムの全体構成は、図２に示す第１の実施形態の情報収集システムと同様に、各セミナー会場に設置された複数の受信機および各受信機に対応する複数の電極と、管理センタに設置された管理サーバと、表示装置とを有する。
【００６８】
図１１は、第３の実施形態の携帯端末１Ａの概略構成図である。
【００６９】
図示する携帯端末１Ａは、第１の実施形態と同様のＩＤ発信器２と、送信機３Ａとを有する。本実施形態の送信機３Ａは、送信すべき情報に基づく電界を電界伝達媒体である生体に誘起させ、この誘起した電界を用いて情報の送信を行うものであって、データを送信するための送信部８０２と、制御回路９０１と、電極９０３と、絶縁膜９０４と、を備える。
【００７０】
送信機３Ａは、ＩＤ発信器２からの送信データを制御回路９０１を介して受け取ると、この送信データを送信部８０２を介して電極９０３に供給し、当該電極９０３および絶縁膜９０４を介して電界伝達媒体に電界を誘起させ、この電界を電界伝達媒体の他の部位に伝達させる。送信部８０２は、送信データを発振器８０５から出力される搬送波で変調するための変調回路８０４と、搬送波を出力するための発振器８０５とを備える。
【００７１】
図１２は、第３の実施形態の受信機５Ａの概略構成図である。受信機５Ａは、電界伝達媒体である生体に誘起した電界を用いて情報の受信を行うものであって、受信部８０３と制御回路９０１とを備える。受信機５Ａは、絶縁膜を含む電極６で検出された電界を、受信部８０３で受信データに変換して制御回路９０１を介して管理サーバ８に出力する。受信部８０３は、復調信号のＨレベルとＬレベルの反転が起きていないかを判定して補正するための補正回路８０６と、搬送波再生回路８０８で再生された搬送波と受信した信号をもとにデータを再生する復調回路８０７と、受信した信号から搬送波を抽出する搬送波再生回路８０８と、を備える。
【００７２】
なお、図示する管理サーバ８は、第１の実施形態の管理サーバ８と同様である。
【００７３】
第３の実施形態では、図１１および図１２で説明した送信機３Ａおよび受信機５Ａを用いて、第１の実施形態と同様の処理を行う。
【００７４】
また、本実施形態の送信機３Ａおよび受信機５Ａを第２の実施形態に適用することが考えられる。すなわち、第２の実施形態の情報収集システムの送信機３および受信機５の代わりに本実施形態の送信機３Ａおよび受信機５Ａを用いて、第２の実施形態と同様の処理を行うこととしてもよい。
【００７５】
以上、本発明の各実施の形態について説明してきたが、本発明の要旨を逸脱しない範囲において、本発明の実施の形態に対して種々の変形や変更を施すことができる。
【図面の簡単な説明】
【００７６】
【図１】情報収集システムを説明するための説明図である。
【図２】第１の実施形態の情報収集システムの全体構成図である。
【図３】携帯端末の構成図である。
【図４】受信機および管理サーバの構成図である。
【図５】セミナー情報テーブルの一例を示す図である。
【図６】ユーザ情報テーブルの一例を示す図である。
【図７】管理サーバの処理を示すフローチャートである。
【図８】第２の実施形態の情報収集システムの全体構成図である。
【図９】第２の実施形態の受信機の構成図である。
【図１０】第２の実施形態の受信機の構成図である。
【図１１】第３の実施形態の携帯端末の構成図である。
【図１２】第３の実施形態の受信機の構成図である。
【図１３】トランシーバを介してウェアラブルコンピュータを人間に装着して使用する場合の例を示す説明図である。
【符号の説明】
【００７７】
１,１Ａ  携帯端末
２  ＩＤ発信器
３,３Ａ  送信機
５,５Ａ  受信機
６  電極
７  椅子
８  管理サーバ
８１  検出部
８２  解析部
８６  セミナー情報テーブル
８７  ユーザ情報テーブル
９０１  制御回路
９１１  切替スイッチ  
【図１】
2009033560.tif 000003
【図２】
2009033560.tif 000004
【図３】
2009033560.tif 000005
【図４】
2009033560.tif 000006
【図５】
2009033560.tif 000007
【図６】
2009033560.tif 000008
【図７】
2009033560.tif 000009
【図８】
2009033560.tif 000010
【図９】
2009033560.tif 000011
【図１０】
2009033560.tif 000012
【図１１】
2009033560.tif 000013
【図１２】
2009033560.tif 000014
【図１３】
2009033560.tif 000015